(57)【要約】【課題】  複数の成形型に対して、加熱やプレスを連続的に行うことで、光学素子等の成形品を効率よく製造可能なモールドプレス成形装置において、移送に伴う成形型の振動を防止することにより、高精度の光学素子などを安定して製造可能な構成、および成形品の製造方法を提供すること。【解決手段】  モールドプレス成形装置１は、複数の成形型を各々、装置筐体２の周方向の所定位置に保持しておく一方、装置筐体２内で回転する移動ケース体３には、複数のヒータ６を設けておき、移動ケース体３を回転させて成形型を加熱する。移動ケース体３の各ゾーンＴ１〜Ｔ８のうち、ゾーンＴ４〜Ｔ６が到来している成形型配置領域Ｒ４〜Ｒ６では、押圧装置７により、成形型を押圧する。【選択図】  図１
2007055824.tif 000002
【特許請求の範囲】
【請求項１】
被成形素材が収容された成形型を所定温度に加熱した状態で押圧手段により押圧して前記被成形素材を所定形状に成形するモールドプレス成形装置において、
複数の前記成形型を各々、定位置に保持する成形型保持体と、前記複数の成形型の配置領域に複数の加熱部を順次、移動させていく駆動機構とを有していることを特徴とするモールドプレス成形装置。
【請求項２】
請求項１において、前記複数の加熱部は各々、異なる温度に前記成形型を加熱することを特徴とするモールドプレス成形装置。
【請求項３】
請求項１または２において、前記複数の成形型は、前記成形型保持体によって円周方向で所定の間隔をあけた位置に保持され、
前記駆動機構は、前記複数の加熱部が円周方向の所定位置に保持された回転体を備えていることを特徴とするモールドプレス成形装置。
【請求項４】
請求項３において、前記複数の成形型の配置領域を不活性雰囲気に保持する装置筐体を有し、
前記回転体は、前記複数の成形型の配置領域を囲んだ状態で前記装置筐体内で回転する移動ケース体であり、
当該移動ケース体の内側に前記複数の加熱部が取り付けられていることを特徴とするモールドプレス成形装置。
【請求項５】
請求項３または４において、前記複数の成形型の配置領域の各々に前記押圧手段が配置されていることを特徴とするモールドプレス成形装置。
【請求項６】
請求項３または４において、前記回転体の周方向の所定位置には、前記押圧手段の全体あるいは当該押圧手段を構成する部材の一部が取り付けられていることを特徴とするモールドプレス成形装置。
【請求項７】
請求項３または４において、前記複数の成形型が配置されている領域の各々には、前記成形型を直接、あるいは前記成形型保持体を介して冷却するための冷却機構が配置されていることを特徴とするモールドプレス成形装置。
【請求項８】
請求項３または４において、前記回転体の周方向の所定位置には、前記成形型を冷却するための冷却機構の全体あるいは当該冷却機構を構成する部材の一部が取り付けられていることを特徴とするモールドプレス成形装置。
【請求項９】
請求項１乃至８の何れか一項において、更に、前記成形型を当該成形型保持体上に搬入するとともに、前記成形型を前記成形型保持体上から搬出する成形型搬出入機構が構成されていることを特徴とするモールドプレス成形装置。
【請求項１０】
請求項１乃至９の何れか一項に記載のモールドプレス成形装置を用いた成形品の製造方法であって、
前記被成形素材が収容された前記複数の成形型を各々、前記成形型保持体によって所定の位置に保持した状態で、前記複数の成形型の配置領域に前記複数の加熱部を順次移動させ、前記成形型を所定の条件で加熱した状態で前記押圧手段によって前記成形型に押圧処理を行うことを特徴とする成形品の製造方法。
【請求項１１】
請求項５に記載のモールドプレス成形装置を用いた成形品の製造方法であって、
前記被成形素材が収容された前記複数の成形型を各々、前記成形型保持体によって所定の位置に保持した状態で、前記複数の成形型の配置領域に前記複数の加熱部を順次移動させ、前記成形型を所定の条件で加熱した状態で前記押圧手段によって前記成形型に押圧処理を行うとともに、
前記押圧手段によって前記成形型に押圧処理を行ったまま、前記複数の加熱部を移動させて前記成形型の温度環境を変化させることを特徴とする成形品の製造方法。
【請求項１２】
請求項１０または１１において、前記被成形素材は、光学素子製造用のガラス素材であり、前記成形品はガラス光学素子であることを特徴とする成形品の製造方法。
【発明の詳細な説明】
【技術分野】
【０００１】
本発明は、被成形素材を保持した成形型に加熱処理、プレス処理を連続的に行うことのできるモールドプレス成形装置、および成形品の製造方法に関するものである。更に詳しくは、成形後に被成形面に対する研磨等の後加工を必要としない成形精度を得るための成形技術に関するものである。
【背景技術】
【０００２】
モールドプレス成形装置としては、従来、図８に示すように、複数の処理室Ｐ２〜Ｐ８が円周方向にこの順に構成され、処理室Ｐ２と処理室Ｐ８との間に搬出入部Ｐ１が配置されたものが提案されている。複数の処理室Ｐ２〜Ｐ８は各々、加熱室、プレス室、冷却室等に対応するものであり、これらの処理室Ｐ２〜Ｐ８の中を、被成形素材を収容した成形型が回転テーブル１１によって順次移送されていく。ここで、処理室Ｐ２〜Ｐ８は、チャンバー１２の中でケース１３によって取り囲まれた状態にある。回転テーブル１１は、中央の回転軸回りに間欠的に回転駆動可能に設けられており、成形型を支持した試料台が回転テーブル１１上に配置されている(特許文献１参照)。
【０００３】
また、モールドプレス成形装置としては、加熱部、成形部、冷却部を一連の循環ルートに配置し、被成形素材と成形型とを、加熱部において同時に並行移送し、プレス圧力を加える前に、被成形素材を成形型の中に移し換える構造のものも提案されている。ここで、成形型が配置されたパレットは、押し出しシリンダーまたは引き出しシリンダーによって各工程に移送される(特許文献２参照)。
【０００４】
更に、特許文献３には、軟化したガラス素材を、成形型で加圧し、成形面を転写する工程、成形型を冷却する工程、取出工程を含むガラス光学素子の製造方法において、転写のための加圧に引き続き、冷却工程の途中で更に後加圧を行う方法が開示されている。
【特許文献１】特公平７−２９７７９号公報
【特許文献２】特開平６−１８３７５３号公報
【特許文献３】特開２００２−１４５６３０号公報
【発明の開示】
【発明が解決しようとする課題】
【０００５】
特許文献１に記載されたモールドプレス成形装置によれば、被成形素材（例えば、ガラスプリフォーム）を収容した成形型を複数個用意し、順次モールドプレス成形装置内に導入し、装置内で間欠的に移送することによって、加熱、プレス、冷却といった処理が連続的に施され、レンズ等の光学素子といった成形品を効率よく製造できる。この装置では、加熱、プレス、冷却の各室は個々の所定温度に維持され、成形素材を収容した成形型はそれらの中を順次移送されることによって適切な温度サイクルを与えられる。ヒータやその周囲の装置部材など熱容量の大きいものの温度サイクルが必要ないため、生産効率、エネルギーの点で非常に有利である。
【０００６】
しかしながら、かかるモールドプレス成形装置によれば、回転テーブル上に配置された成形型は、回転起動時、移送時もしくは停止時に振動を受けることがあり、成形型内の被成形素材がわずかな位置ずれを起こすおそれがあり、このような位置ずれは成形精度を低下させるため好ましくない。特に、球形状や両凸曲面形状の被成形素材を収納した成形型において、成形型の上型もしくは下型の少なくとも一方が凸状成形面を有する成形型を使用する場合、すなわちメニスカスレンズや両凹レンズを成形する場合、成形型内における被成形素材の位置ずれが生じやすく、偏肉の原因となる。また、成形型を回転テーブルに配置した状態でプレスするため、回転テーブル自体がプレス荷重によって撓む可能性があり、このような撓みが発生すると成形型を鉛直方向に押圧できないので、成形品の形状に悪影響を及ぼすおそれがある。型形状を転写し、冷却前の成形体が振動を受けることで面精度劣化の原因となる事もある。
【０００７】
また、特許文献２に記載されたモールドプレス成形装置では、成形型を配置したパレットが移動する際の摩擦振動によって、特許文献１に記載のモールドプレス成形装置と同様、成形型内の被成形素材が位置ずれすることに起因する不具合が発生するおそれがある。しかも、隣接したパレットを接触させつつ順次押し出しているため、パレット間での熱伝導などが原因で、各成形型の精緻な温度管理を行えないという問題点がある。
【０００８】
更に、特許文献１や２に記載された成形装置では、成形型が一定時間ごとに移送されるため、押圧時間を長くする必要がある場合には、全工程における滞留時間が長くなり、サイクルタイムを延長させてしまう。また、押圧の間に移送をさせると、移送中は荷重のかからない時間が生じてしまうため、得ようとする成形体の大きさや形状によって最適のプレス条件を施すことができない問題がある。この問題は、実質的なサイクルタイム短縮のために、室数を増加して同時により多くの成形型を配置しようとするときに顕著になる。
【０００９】
例えば、成形難度の高い、凹メニスカスレンズ、両凹レンズ、径20mm以上の中口径、大口径の光学素子を成形するときには、プレス条件の最適化が特に重要である。例えば、特許文献１や特許文献２に記載されたモールドプレス成形装置では、被成形素材に対して所定温度にて初期加圧を行った後に、成形型を冷却する過程で、更に成形型を加圧する場合、初期加圧を一旦解除して後段の処理室に成形型を移送し、その処理室で成形型を再び加圧(二次加圧)することになる。このように温度条件の異なる初期加圧と二次加圧を、連続的に行うことができない場合、高精度の成形品を得ることが難しい。
【００１０】
特許文献３の装置によると、転写のための加圧に引き続き、冷却工程の途中で更に後加圧を行うことができる。しかしながら、プレス装置に固定された成形型が、同様にプレス装置に固定されたヒータにより昇温されるため、上記の温度サイクルに際しては、ヒータ自身やその周囲の装置部材の熱容量が昇温、降温の迅速な応答性を阻害し、サイクルタイムが短縮されにくい。
【００１１】
以上の問題に鑑みて、本発明の課題は、複数の成形型に対して、加熱やプレスを連続的に行うことで、光学素子等の成形品を効率よく製造可能なモールドプレス成形装置において、移送に伴う成形型の振動を防止することにより、高精度の光学素子などを安定して製造可能な構成、および成形品の製造方法を提供することにある。
【００１２】
また、本発明の課題は、常に成形型および成形品に処理を施すことにより、製造タクトを短縮可能なモールドプレス成形装置、および成形品の製造方法を提供することにある。
【００１３】
更に、本発明の課題は、成形型を押圧したまま、成形型が配置されている領域の温度を変更可能にして、成形精度を更に向上可能なモールドプレス成形装置、および成形品の製造方法を提供することにある。
【課題を解決するための手段】
【００１４】
上記課題を解決するために、本発明では、被成形素材が収容された成形型を所定温度に加熱した状態で押圧手段により押圧して被成形素材を所定形状に成形するモールドプレス成形装置において、複数の前記成形型を各々、定位置に保持する成形型保持体と、前記複数の成形型の配置領域に複数の加熱部を順次、移動させていく駆動機構とを有していることを特徴とする。
【００１５】
本発明を適用したモールドプレス成形装置を用いた成形品の製造方法では、前記被成形素材が収容された前記複数の成形型を各々、前記成形型保持体によって所定の位置に保持した状態で、前記複数の成形型の配置領域に前記複数の加熱部を順次移動させ、前記成形型を所定の条件で加熱した状態で前記押圧手段によって前記成形型に押圧処理を行うことを特徴とする。
【００１６】
本発明では、複数の成形型に対して、加熱や押圧などの各種処理を連続的に行うことができるので、光学素子等の成形品を効率よく製造することができる。また、成形型は、複数の加熱部で順次、加熱されるため、適正な加熱パターンを実現できる。更に、成形型を定位置に保持した状態のまま、加熱や押圧などの各種処理を行い、成形型を移送しない。このため、移送に伴う成形型および被成形素材の振動が発生しないので、成形型内で被成形素材が位置ずれすることがない。また、成形型を回転テーブルなどの移送手段で保持する必要がないため、回転テーブルがプレス荷重によって撓むなどといった問題が発生せず、成形型を好適な方向から押圧できる。更に、成形型をパレットなどの移送手段で保持する必要がないため、パレット間での熱伝導が発生せず、各成形型の温度を精緻に管理することができる。それ故、本発明によれば、高精度の成形品を製造することができる。
【００１７】
本発明において、前記複数の加熱部は各々、異なる温度に前記成形型を加熱することが好ましい。このように構成すると、被成形素材を最適な温度条件に設定して成形することができる。
【００１８】
本発明において、前記複数の成形型は、前記成形型保持体によって円周方向で所定の間隔をあけた位置に保持され、前記駆動機構は、前記複数の加熱部が円周方向の所定位置に保持された回転体を備えていることが好ましい。
【００１９】
本発明において、前記複数の成形型の配置領域を不活性雰囲気に保持する装置筐体を有し、この装置筐体の内部には、前記複数の成形型の配置領域を囲むように移動ケース体が配置されることがある。このような場合、移動ケース体を前記複数の成形型の配置領域を囲んだ状態で前記装置筐体内で回転するように構成し、この移動ケース体を前記回転体として用いることが好ましい。この場合、当該移動ケース体の内側に前記複数の加熱部を取り付ければよい。
【００２０】
本発明において、前記複数の成形型の配置領域の各々に前記押圧手段が配置されていることが好ましい。このように構成したモールドプレス成形装置を用いた成形品の製造方法では、前記被成形素材が収容された前記複数の成形型を各々、前記成形型保持体によって所定の位置に保持した状態で、前記複数の成形型の配置領域に前記複数の加熱部を順次移動させ、前記成形型を所定の条件で加熱した状態で前記押圧手段によって前記成形型に押圧処理を行うとともに、前記押圧手段によって前記成形型に押圧処理を行ったまま、前記複数の加熱部を移動させて前記成形型の温度環境を変化させることが好ましい。
【００２１】
本発明において、前記回転体の周方向の所定位置には、前記押圧手段の全体あるいは当該押圧手段を構成する部材の一部が取り付けられている構成を採用してもよい。
【００２２】
本発明において、前記複数の成形型が配置されている領域の各々には、前記成形型を直接、あるいは前記成形型保持体を介して冷却するための冷却機構が配置されていることが好ましい。
【００２３】
本発明において、前記回転体の周方向の所定位置には、前記成形型を冷却するための冷却機構の全体あるいは当該冷却機構を構成する部材の一部が取り付けられている構成を採用してもよい。
【００２４】
本発明においては、更に、前記成形型を当該成形型保持体上に搬入するとともに、前記成形型を前記成形型保持体上から搬出する成形型搬出入機構が構成されていることが好ましい。
【００２５】
本発明は、前記被成形素材として光学素子製造用のガラス素材を用い、前記成形品としてガラス光学素子を製造するのに適している。
【発明の効果】
【００２６】
本発明では、複数の成形型に対して、加熱や押圧などの各種処理を連続的に行うことができるので、光学素子等の成形品を効率よく製造することができる。また、成形型は、複数の加熱部で順次、加熱されるため、適正な加熱パターンを実現できる。更に、成形型を定位置に保持した状態のまま、加熱や押圧などの各種処理を行い、成形型を移送しない。このため、移送に伴う成形型および被成形素材の振動が発生しないので、成形型内で被成形素材が位置ずれすることがない。また、成形型を回転テーブルなどの移送手段で保持する必要がないため、回転テーブルがプレス荷重によって撓むなどといった問題が発生せず、成形型を好適な方向から押圧できる。更に、成形型をパレットなどの移送手段で保持する必要がないため、パレット間での熱伝導が発生せず、各成形型の温度を精緻に管理することができる。しかも、成形型については処理が終了次第、搬出することができるので、製造効率が高いという利点がある。それ故、本発明によれば、高精度のガラス光学素子を安定して製造することができ、このような高精度のガラス光学素子であれば、成形後に被成形面に対する研磨等の後加工を必要としない。よって、デジタルカメラ等の撮像機器や、光ピックアップ、携帯端末用小型撮像機器などに用いられるガラス光学素子は、その光学的要求性能が極めて高く、しかも低価格化の要求が強いが、本発明によれば、かかる要求に対応することができる。
【発明を実施するための最良の形態】
【００２７】
図面を参照して、本発明を適用したモールドプレス成形装置の一例を説明する。
【００２８】
［実施の形態１］
（全体構成）
図１は、本発明の実施の形態１に係るモールドプレス成形装置の平面的な構成を示す説明図である。図２(ａ)〜(ｅ)は、図１のＡ−Ａ′断面図、Ｂ−Ｂ′断面図、Ｃ−Ｃ′断面図、Ｄ−Ｄ′断面図およびＥ−Ｅ′断面図である。
【００２９】
図１に示すように、本形態におけるモールドプレス成形装置１では、機台(図示せず)上に、内側を窒素ガスなどの不活性ガス雰囲気に保持可能な円環状の装置筐体２が固定されており、装置筐体２の内部には、８つの成形型配置領域Ｒ１〜Ｒ８が等間隔に配置されている。８つの成形型配置領域Ｒ１〜Ｒ８は、図１および図２を参照して以下に説明するように、いずれも同一な構造をもって構成されている。
【００３０】
図１および図２に示すように、成形型配置領域Ｒ１〜Ｒ８では、その中央部分に装置筐体２の底部から立ち上がった成形型支持台５(成形型保持体)が配置されており、成形型支持台５の上には成形型４が載置されている。成形型４は、下型、上型および胴型から構成され、内部には光学素子を製造するためのガラス素材などといった被成形素材を保持している。
【００３１】
成形型配置領域Ｒ１〜Ｒ８では、装置筐体２の上面部のうち、成形型支持台５と対向する位置に押圧装置７が固定されている。押圧装置７は、装置筐体２の上面部に固定された本体部分７１と、この本体部分７１から下方に突出したロッド７２と、ロッド７２の下端部に取り付けられた押圧ヘッド７３とを備えている。
【００３２】
また、成形型配置領域Ｒ１〜Ｒ８では、装置筐体２の外周側面部に、内側に向けて張り出すようにカバー板２１が固定されており、このカバー板２１において、押圧装置７と成形型支持台５とが対向する部分には開口部２２が形成されている。
【００３３】
成形型支持台５は、成形型搬出入装置９を構成する成形型昇降装置の出力軸９０の先端部に固定されており、出力軸９０が上昇した状態で成形型４を装置筐体２内部に位置させる。これに対して、出力軸９０が下降した状態で、成形型支持台５は、成形型４を装置筐体２の下方位置まで搬出する。ここで、成形型搬出入装置９は、装置筐体２の下方位置に搬送アーム９１を備えており、搬送アーム９１は、装置筐体２の下方に下降してきた成形型支持台５から、全ての処理が完了した成形型４を搬出するとともに、空になった成形型支持台５に処理前の成形型４を搬入する。また、装置筐体２の底面部には、成形型昇降装置の出力軸９０、成形型支持台５および成形型４を搬出入するための開口部２３が形成されているとともに、装置筐体２の底面部には、開口部２３を開閉するシャッタ板２６を備えたシャッタ装置２５が構成されている。
【００３４】
本形態において、成形型支持台５および出力軸９０の内部は中空になっており、この中空部分には、冷却装置８の冷却ガス放出管８１が配置されている。
【００３５】
このような構成は８つの成形型配置領域Ｒ１〜Ｒ８のいずれにおいても同様であるため、本形態のモールドプレス成形装置１では、成形型支持台５、押圧装置７、カバー板２１、成形型搬出入装置９の昇降装置、および冷却装置８は計８組、構成されていることになる。なお、カバー板２１は、各成形型配置領域Ｒ１〜Ｒ８に独立して構成してもよいが、一枚の円環状のカバー板で構成してもよい。
【００３６】
本形態のモールドプレス成形装置１は、装置筐体２の内部に配置された円環状の移動ケース体３(回転体)と、この移動ケース体３を装置筐体２の内部に沿って円周方向に回転させる駆動機構(矢印：ＣＷで示す)とが配置されており、駆動機構は、移動ケース体３に対する回転軸(図示せず)と、この回転軸を中心に時計周りＣＷに移動ケース体３を間欠的に回転させるインデックス装置(図示せず)を備えている。
【００３７】
ここで、移動ケース体３は、装置筐体２内の定位置に保持された成形型４の各々に所定の処理を順次、行うための８つのゾーンＴ１〜Ｔ８に区画されている。これら８つのゾーンＴ１〜Ｔ８は各々、以下に示すように、
第１ゾーンＴ１：第１加熱ゾーン(加熱処理用)
第２ゾーンＴ２：第２加熱ゾーン(加熱処理用)
第３ゾーンＴ３：第３加熱ゾーン(加熱処理用)
第４ゾーンＴ４：第１押圧ゾーン(押圧処理用)
第５ゾーンＴ５：第２押圧ゾーン(押圧および徐冷処理用)
第６ゾーンＴ６：第３押圧ゾーン(押圧および徐冷処理用)
第７ゾーンＴ７：急冷ゾーン(急冷処理用)
第８ゾーンＴ８：搬出入ゾーン(搬出入用)
成形型４に対する処理に対応しており、移動ケース体３には、上記のゾーンＴ１〜Ｔ８がこの順に反時計周りＣＣＷに配置されている。
【００３８】
本形態では、移動ケース体３のゾーンＴ１〜Ｔ８のいずれにおいても、移動ケース体３の外周側面部および内周側面部に抵抗加熱ヒータなどのヒータ６(加熱部)が配置されており、ヒータ６の背後にはリフレクタ６０が配置されている。また、移動ケース体３において、８つのゾーンＴ１〜Ｔ８のいずれにおいても底面部にスリット３１が形成されており、移動ケース体３が回転したときでも、移動ケース体３と成形型支持台５とが干渉しないようになっている。
【００３９】
また、円環状の装置筐体２の中心側には制御部１０が構成されており、この制御部１０は、移動ケース体３の移動および停止の制御、押圧装置７の駆動制御を行う。また、移動ケース体３の各ゾーンＴ１〜Ｔ８に配置されたヒータ６に対しては、スリップリング等のロータリージョイントやレール式の給電装置を介して給電が行われる。なお、装置筐体２の内側中央部には、制御部１０と、移動ケース体３側のヒータ６、押圧装置７、冷却装置８などとの接続を円滑に行うための中継部(図示せず)が設けられている。
【００４０】
ここで、制御部１０は、各ゾーンＴ１〜Ｔ８の温度を所定の条件に設定する。このようなゾーンＴ１〜Ｔ８毎の温度設定は、例えば、各ヒータ６を各々独立して駆動することにより行うことができる。この場合、第１ゾーンＴ１、および第２ゾーンＴ２のヒータ６は、成形型４に対する加熱処理用であるため、成形型４を急速に加熱するように大電力で駆動される。これに対して、第３ゾーンＴ３は均熱処理を兼ねているため、第１ゾーンＴ１、および第２ゾーンＴ２のヒータ６と比較して小電力、あるいは第２ゾーンＴ２のヒータ６と同等の電力で駆動される。第４ゾーンＴ４は押圧ゾーンであり、第３ゾーンＴ３のヒータ６と同等の電力で駆動される。第５ゾーンＴ５および第６ゾーンＴ６のヒータ６は、第３ゾーンＴ３に比較して小電力で駆動される。また、第７ゾーンＴ７および第８ゾーンＴ８のヒータ６には給電されない。
【００４１】
また、制御部１０によって、各ゾーンＴ１〜Ｔ８の温度を所定の条件に設定するにあたっては、各ゾーンＴ１〜Ｔ８にシャッタ(図示せず)を設け、このシャッタの開閉により温度制御を行ってもよい。このような構成によれば、各ゾーンＴ１〜Ｔ８のヒータ６を一体に構成することができる。
【００４２】
（動作）
本形態におけるモールドプレス成形装置１では、装置筐体２内の定位置に成形型４を停止させておく一方、駆動装置によって、移動ケース体３を時計周りＣＷに間欠的に回転させることにより、各ゾーンＴ１〜Ｔ８を各成形型配置領域Ｒ１〜Ｒ８に順次、移動させて、成形型４に対する加熱処理、プレス処理、および冷却処理を順次行っていく。その様子を図１および図２を参照して説明する。
【００４３】
図１に示す時点において、第１ゾーンＴ１、第２ゾーンＴ２および第３ゾーンＴ３が位置する３つの成形型配置領域Ｒ１〜Ｒ３では、成形型４に対する加熱処理が行われ、図２(ａ)に示すように、成形型支持台５上において成形型４および成形型４内の被成形素材はヒータ６によって加熱されている。なお、第１ゾーンＴ１、第２ゾーンＴ２および第３ゾーンＴ３が位置する成形型配置領域Ｒ１〜Ｒ３では、押圧装置７、冷却装置８および成形型搬出入装置９は作動していない。ここで、第２ゾーンＴ２は、第１ゾーンＴ１よりも成形型４および被成形素材を更に高温に加熱する。また、第３ゾーンＴ３は、第２ゾーンＴ２の設定温度と同等か若干低い温度で成形型４を加熱し、成形型４および被成形素材を均一温度とする。
【００４４】
次に、第４ゾーンＴ４が位置する成形型配置領域Ｒ４では、成形型４に対する第１押圧処理が行われ、図２(ｂ)に示すように、成形型支持台５上において成形型４の上型は、押圧装置７の押圧ヘッド７３により、押圧される。この時のヒータ６による加熱温度は、前段の第３ゾーンＴ３と同等の温度（例えば、ガラス素材の粘度が１０7.5〜１０10.5ｄＰａ・ｓとなる温度）に設定されている。
【００４５】
次に、第５ゾーンＴ５および第６ゾーンＴ６が位置する各成形型配置領域Ｒ５、Ｒ６では、成形型４に対する第２押圧処理および第３押圧処理が行われ、図２(ｃ)に示すように、成形型支持台５上において成形型４の上型は、押圧装置７の押圧ヘッド７３により押圧されている。この時のヒータ６による加熱温度は、第４ゾーンＴ４よりも低い温度（例えば、ガラス素材の粘度が１０11.5ｄＰａ・ｓ以下となる温度）に設定される。従って、第５ゾーンＴ５および第６ゾーンＴ６が位置する各成形型配置領域Ｒ５、Ｒ６では、成形型４に対する徐冷が同時に行われる。なお、第５ゾーンＴ５が位置する各成形型配置領域Ｒ５での押圧は、成形型配置領域Ｒ５に第４ゾーンＴ４が位置している状態から継続され、第６ゾーンＴ６が位置する各成形型配置領域Ｒ６での押圧は、成形型配置領域Ｒ６に第５ゾーンＴ５が位置している状態から継続されている。
【００４６】
次に、第７ゾーンＴ７が位置する成形型配置領域Ｒ７では、成形型４に対する冷却処理が行われ、図２(ｄ)に示すように、成形型支持台５上の成形型４は、押圧装置７による押圧から解除されている。また、冷却装置８の冷却ガス放出管８１から成形型支持台５の中空部内に冷却ガスが放出され、成形型支持台５を介して成形型４が冷却される。このような冷却により、成形型４内の温度はガラス転移温度以下まで急冷される。
【００４７】
次に、第８ゾーンＴ８が位置する成形型配置領域Ｒ８では、成形型４に対する全ての処理が完了しており、図２(ｅ)に示すように、成形型搬出入装置９を構成する成形型昇降装置の出力軸９０は、開口部２３から成形型４および成形型支持台５を装置筐体２の下方まで降下させる。そして、搬送アーム９１は、全ての処理が完了した成形型４を搬出する一方、これから処理を行う成形型４を成形型支持台５上に載置する。そして、昇降装置は、次の成形型４を成形型支持台５とともに移動ケースの内部にまで搬入する。
【００４８】
上記の動作は、所定の時間内に各成形型配置領域Ｒ１〜Ｒ８で並行して行われ、所定の時間が経過すると、移動ケース体３が時計周りＣＷの方向に回転し、上記の動作が繰り返される。
【００４９】
（本形態の主な効果）
以上説明したように、本形態を適用したモールドプレス成形装置１では、複数の成形型４に対して、加熱や押圧などの各種処理を連続的に行うことができるので、ガラス光学素子等の成形品を効率よく製造することができる。また、成形型４は、複数のヒータ６で順次、加熱されるため、最適な加熱パターンを実現できる。更に、成形型４を定位置に保持した状態のまま、加熱や押圧などの各種処理を行い、成形型４を移送しない。このため、移送に伴う成形型４および被成形素材の振動が発生しないので、成形型４内で被成形素材が位置ずれすることがない。また、成形型４を回転テーブルなどの移送手段で保持する必要がないため、回転テーブルがプレス荷重によって撓むなどといった問題が発生せず、成形型４を好適な方向から押圧できる。更に、成形型４をパレットなどの移送手段で保持する必要がないため、パレット間での熱伝導が発生せず、各成形型４の温度を精緻に管理することができる。従って、本形態によれば、高精度のガラス光学素子を安定して製造することができ、このような高精度のガラス光学素子であれば、成形後に被成形面に対する研磨等の後加工を必要としない。よって、デジタルカメラ等の撮像機器や、光ピックアップ、携帯端末用小型撮像機器などに用いられるガラス光学素子は、その光学的要求性能が極めて高く、しかも低価格化の要求が強いが、本発明によれば、かかる要求に対応することができる。
【００５０】
また、ヒータ６を搭載した移動ケース体３の方を移動させるため、成形型４を移動させる場合と違って成形型４の振動を考慮する必要がないので、移動ケース体３を高速で移動させることができる。それ故、処理と処理との間の時間を短縮できる。しかも、移動ケース体３が移動している間も押圧処理を継続できるなど、タクトを大幅に短縮できる。更に、成形に必要な、昇温・高温の熱サイクルを、熱容量の大きい筐体に及ぼさずに成形型４に施すため、熱サイクルの応答性、再現性が良く、短い成形サイクルタイムでの量産が行える。
【００５１】
更に、本形態では、複数の成形型配置領域Ｒ１〜Ｒ８の各々に押圧装置７が配置されているため、押圧装置７によって成形型４に押圧処理を行ったまま、ヒータ６を移動させて成形型４の温度環境を変化させることができる。それ故、初期加圧を行った後に、成形型４を冷却する過程で、更に成形型４を加圧する場合でも、初期加圧を解除することなく温度を変更して二次加圧することが可能である。それ故、初期加圧を解除した際の成形品の位置ずれや温度変化による成形品の収縮が発生しないので、高精度のガラス光学素子（成形品）を製造することができる。
【００５２】
なお、本形態においては、各成形型配置領域Ｒ１〜Ｒ８に冷却ガス放出管８１を配置したため、押圧開始と同時、もしくは押圧開始直後に成形型４を冷却することもできる。
【００５３】
［実施の形態２］
図３は、本発明の実施の形態２に係るモールドプレス成形装置を図１のＡ−Ａ′線、Ｂ−Ｂ′線、Ｃ−Ｃ′線、Ｄ−Ｄ′線およびＥ−Ｅ′線に相当する位置で切断したときの断面図である。なお、本形態は、基本的な構成が実施の形態１と同様であるため、共通する部分には同一の符号を付して図示することにして、それらの説明を省略する。
【００５４】
図３に示すように、本形態のモールドプレス成形装置１も、実施の形態１と同様、機台(図示せず)上に、内側を不活性雰囲気に保持可能な円環状の装置筐体２が固定されており、装置筐体２の内部には、成形型４が載置された成形型支持台５を備えた８つの成形型配置領域Ｒ１〜Ｒ８が等間隔に配置されている。
【００５５】
本形態のモールドプレス成形装置１でも、実施の形態１と同様、装置筐体２の内部に円環状の移動ケース体３が配置され、移動ケース体３の内部には、８つのゾーンＴ１〜Ｔ８が構成され、いずれのゾーンＴ１〜Ｔ８にも、所定の条件で制御されるヒータ６、およびリフレクタ６０が配置されている。
【００５６】
このようなモールドプレス成形装置１において、本形態では、装置筐体２には、成形型配置領域Ｒ１〜Ｒ８のいずれにも、押圧装置７を構成する部材のうち、ロッド７２を下方に向けた本体部分７１が搭載されている一方、移動ケース体３の上面部には押圧ヘッド７４が取り付けられている。押圧ヘッド７４は、圧縮バネ７５によって上方に付勢されている。
【００５７】
このように構成したモールドプレス成形装置１では、第４ゾーンＴ４が到来した成形型配置領域Ｒ４でロッド７２が降下し、ロッド７２により押圧ヘッド７４が下方に押圧されて成形型４を押圧する。このような押圧は、移動ケース体３の第５ゾーンＴ５および第６ゾーンＴ６が到来した成形型配置領域Ｒ５、Ｒ６でも同様に行われる。また、ロッド７２が上昇したとき、押圧ヘッド７４は、圧縮バネ７５によって上方に付勢されて上方に移動する。その他の構成は、実施の形態１と同様であるため、説明を省略する。
【００５８】
このような構成のモールドプレス成形装置１でも、複数の成形型４に対して、加熱や押圧などの各種処理を連続的に行うことができるので、ガラス光学素子等の成形品を効率よく製造することができる。また、成形型４は、複数のヒータ６で順次、加熱されるため、最適な加熱パターンを実現できる。更に、成形型４を定位置に保持した状態のまま、加熱や押圧などの各種処理を行い、成形型４を移送しないため、移送に伴う成形型４および被成形素材の振動が発生しないので、成形型４内で被成形素材が位置ずれすることがないなどの効果を奏する。
【００５９】
［実施の形態３］
（全体構成）
図４は、本発明の実施の形態３に係るモールドプレス成形装置の平面的な構成を示す説明図である。図５(ａ)〜(ｄ)は、図４のＦ−Ｆ′断面図、Ｇ−Ｇ′断面図、Ｈ−Ｈ′断面図、およびＩ−Ｉ′断面図である。なお、本形態は、基本的な構成が実施の形態１と同様であるため、共通する部分には同一の符号を付して図示することにして、それらの説明を省略する。
【００６０】
図４に示すように、本形態におけるモールドプレス成形装置１でも、実施の形態１と同様、機台(図示せず)上に、内側を不活性雰囲気に保持可能な円環状の装置筐体２が固定されており、装置筐体２の内部には、８つの成形型配置領域Ｒ１〜Ｒ８が等間隔に配置されている。８つの成形型配置領域Ｒ１〜Ｒ８は、図４および図５を参照して以下に説明するように、いずれも同一な構造をもって構成されている。
【００６１】
図４および図５に示すように、成形型配置領域Ｒ１〜Ｒ８では、その中央部分に装置筐体２の底部から立ち上がった成形型支持台５が配置されており、成形型支持台５の上には成形型４が載置されている。成形型４は、下型、上型および胴型から構成され、内部にはガラス素材などといった被成形素材を保持している。成形型支持台５は、成形型搬出入装置９を構成する成形型昇降装置の出力軸９０の先端部に固定されている。
【００６２】
このような構成は、８つの成形型配置領域Ｒ１〜Ｒ８のいずれにおいても同様であるため、本形態のモールドプレス成形装置１では、成形型支持台５、成形型搬出入装置９の成形型昇降装置、およびシャッタ装置２５は計８組、構成されていることになる。
【００６３】
また、本形態のモールドプレス成形装置１も、実施の形態１と同様、装置筐体２の内部に配置された円環状の移動ケース体３と、この移動ケース体３を装置筐体２の内部に沿って円周方向に回転させる駆動機構(矢印：ＣＷで示す)とが配置されており、駆動機構は、移動ケース体３に対する回転軸と、この回転軸を中心に時計周りＣＷに移動ケース体３を間欠的に回転させるインデックス装置を備えている。
【００６４】
ここで、移動ケース体３は、装置筐体２内の定位置に保持された成形型４の各々に所定の処理を順次、行うための８つのゾーンＴ１〜Ｔ８に区画され、各ゾーンＴ１〜Ｔ８の境界部分にはシャッタＵ１〜Ｕ８を備えている。８つのゾーンＴ１〜Ｔ８は各々、以下に示すように、
第１ゾーンＴ１：第１加熱ゾーン(加熱処理用)
第２ゾーンＴ２：第２加熱ゾーン(加熱処理用)
第３ゾーンＴ３：第３加熱ゾーン(加熱処理用)
第４ゾーンＴ４：第１押圧ゾーン(押圧処理用)
第５ゾーンＴ５：第２押圧ゾーン(押圧および徐冷処理用)
第６ゾーンＴ６：第３押圧ゾーン(押圧および徐冷処理用)
第７ゾーンＴ７：急冷ゾーン(急冷処理用)
第８ゾーンＴ８：搬出入ゾーン(搬出入用)
成形型４に対する処理に対応しており、移動ケース体３に対して上記のゾーンＴ１〜Ｔ８がこの順に反時計周りＣＣＷに配置されている。また、移動ケース体３において、８つのゾーンＴ１〜Ｔ８のいずれにおいても、底面部にはスリット３１が形成されており、移動ケース体３が回転したときでも、移動ケース体３と成形型支持台５とが干渉しないようになっている。
【００６５】
本形態において、移動ケース体３には、８つのゾーンＴ１〜Ｔ８のうち、第１ゾーンＴ１から第６ゾーンＴ６までの６つのゾーンＴ１〜Ｔ６に対してのみ抵抗加熱ヒータなどのヒータ６が配置されており、ヒータ６の背後にはリフレクタ６０が配置されている。
【００６６】
また、移動ケース体３には、第４ゾーンＴ４から第６ゾーンＴ６までの３つのゾーンＴ４〜Ｔ６に対してのみ押圧装置７が各々搭載されている。押圧装置７は、図４に示すように、連結アーム３９を介して移動ケース体３に固定され、移動ケース体３と一体に回転する。ここで、押圧装置７は、ロッド７２を下方に向けた本体部分７１、および押圧ヘッド７３を備えており、本体部分７１は、装置筐体２の上方に配置されている。但し、装置筐体２には周方向に装置筐体２の内外を封止可能なスリット２８が形成され、このスリット２８内をロッド７２が貫通しているため、移動ケース体３が回転しても、ロッド７２と装置筐体２が干渉することがない。なお、ロッド７２は、移動ケース体３の上面部においても上下動可能に支持されている。
【００６７】
更に、本形態では、移動ケース体３には、第７ゾーンＴ７に対してのみ冷却装置８Ａが搭載されている。冷却装置８Ａは、図４に示すように、連結アーム３８を介して移動ケース体３に固定され、移動ケース体３と一体に回転する。ここで、冷却装置８Ａは、冷却ガス放出管８２を備えており、この冷却ガス放出管８２は、Ｌ字状に屈曲して移動ケース体３の内側にまで到達している。但し、冷却ガス放出管８２は、装置筐体２において周方向に延びたスリット２８内を貫通しているので、移動ケース体３が回転しても、冷却ガス放出管８２と装置筐体２が干渉することがない。
【００６８】
本形態でも、装置筐体２の内側中心部分には制御部１０が構成されており、この制御部１０は、移動ケース体３の移動および停止の制御、押圧装置７の駆動制御を行う。また、移動ケース体３の各ゾーンに配置されたヒータ６に対しては、スリップリング等のロータリージョイントやレール式の給電装置を介して給電が行われる。更に、装置筐体２の内側中央部には、制御部１０と、移動ケース体３側のヒータ６、押圧装置７、冷却装置８Ａなどとの接続を円滑に行うための中継部(図示せず)が設けられている。
【００６９】
ここで、制御部１０は、各ゾーンＴ１〜Ｔ６の温度を所定の条件に設定する。このようなゾーンＴ１〜Ｔ６毎の温度設定は、例えば、各ゾーンＴ１〜Ｔ６に設けたシャッタＵ１〜Ｕ７の開閉により温度制御を行う。このような構成によれば、各ゾーンのヒータ６を一体に構成することができる。
【００７０】
なお、ゾーンＴ１〜Ｔ６毎の温度設定は、実施の形態１のように、各ヒータ６を各々独立して駆動することによっても行うことができる。
【００７１】
（動作）
本形態におけるモールドプレス成形装置１では、実施の形態１と同様、装置筐体２内の定位置に成形型４を停止させておく一方、移動ケース体３を間欠的に回転させることにより、各ゾーンＴ１〜Ｔ８を各成形型配置領域Ｒ１〜Ｒ８に順次、移動させて、成形型４に対する加熱処理、プレス処理、および冷却処理を順次行っていく。その様子を図４および図５を参照して説明する。
【００７２】
図４において、第１ゾーンＴ１、第２ゾーンＴ２および第３ゾーンＴ３が位置する３つの成形型配置領域Ｒ１〜Ｒ３では、成形型４に対する加熱処理が行われ、図５(ａ)に示すように、成形型支持台５上において成形型４および成形型４内の被成形素材はヒータ６によって加熱される。なお、第２ゾーンＴ２は、第１ゾーンＴ１よりも成形型４および被成形素材を更に高温に加熱する。また、第３ゾーンＴ３は、第２ゾーンＴ２の設定温度と同等か若干低い温度で成形型４を加熱し、成形型４および被成形素材を均一の温度とする。
【００７３】
次に、第４ゾーンＴ４が位置する成形型配置領域Ｒ４では、成形型４に対する第１押圧処理が行われ、図５(ｂ)に示すように、成形型支持台５上において成形型４の上型は、押圧装置７の押圧ヘッド７３により、押圧されている。この時のヒータ６による加熱温度は、前段の第３ゾーンＴ３と同等の温度に設定されている。
【００７４】
次に、第５ゾーンＴ５および第６ゾーンＴ６が位置する各成形型配置領域Ｒ５、Ｒ６では、成形型４に対する第２押圧処理および第３押圧処理が行われる。その様子は概ね、図５(ｂ)と同様に表される。ここでのヒータ６による加熱温度は、第４ゾーンＴ４よりも低い温度に設定される。従って、第５ゾーンＴ５および第６ゾーンＴ６が位置する各成形型配置領域Ｒ５、Ｒ６では、成形型４に対する徐冷が同時に行われる。なお、第５ゾーンＴ５が位置する各成形型配置領域Ｒ５での押圧は、成形型配置領域Ｒ５に第４ゾーンＴ４が位置していたときの押圧を一旦解除して、第５ゾーンＴ５が成形型配置領域Ｒ５まで移動し、停止してから、押圧装置７が成形型４を押圧する。また、第６ゾーンＴ６が位置する成形型配置領域Ｒ６での押圧は、成形型配置領域Ｒ６に第５ゾーンＴ５が位置していたときの押圧を一旦解除して、第６ゾーンＴ６が成形型配置領域Ｒ６まで移動し、停止してから、押圧装置７が成形型４を押圧する。
【００７５】
次に、第７ゾーンＴ７が位置する成形型配置領域Ｒ７では、成形型４に対する冷却処理が行われ、図５(ｃ)に示すように、成形型支持台５上の成形型４は、押圧装置７による押圧から解除されている。また、冷却装置８の冷却ガス放出管８１から成形型４に冷却ガスが放出され、成形型４が直接、冷却される。このような冷却により、成形型４内の温度はガラス転移温度以下まで低下する。
【００７６】
次に、第８ゾーンＴ８が位置する成形型配置領域Ｒ８の成形型４は、全ての処理が完了しており、図５(ｄ)に示すように、成形型搬出入装置９を構成する成形型昇降装置は、開口部２３から成形型４および成形型支持台５を装置筐体２の下方まで降下させる。そして、搬送アーム９１は、全ての処理が完了した成形型４を搬出する一方、これから処理を行う成形型４を成形型支持台５上に載置する。そして、昇降装置は、次の成形型４を成形型支持台５とともに移動ケースの内部にまで搬入する。
【００７７】
上記の動作は、所定の時間内に各成形型配置領域Ｒ１〜Ｒ８で並行して行われ、所定の時間が経過すると、移動ケース体３が時計周りＣＷの方向に回転し、上記の動作が繰り返される。
【００７８】
（本形態の主な効果）
以上説明したように、本形態のモールドプレス成形装置１でも、実施の形態１と同様、複数の成形型４に対して、加熱や押圧などの各種処理を連続的に行うことができるので、光学素子等の成形品を効率よく製造することができる。また、成形型４は、複数のヒータ６で順次、加熱されるため、最適な加熱パターンを実現できる。更に、成形型４を定位置に保持した状態のまま、加熱や押圧などの各種処理を行い、成形型４を移送しないため、移送に伴う成形型４および被成形素材の振動が発生しない。このため、成形型４内で被成形素材が位置ずれすることがないので、高精度のガラス光学素子を安定して製造することができるなど、実施の形態１と同様な効果を奏する。
【００７９】
なお、本形態においても、実施の形態１と同様、成形型支持台５および出力軸の内部を中空とし、その中空部分には、冷却装置８の冷却ガス放出管８１を配置した構造を採用してもよい。このような冷却装置８を用いれば、押圧開始と同時、もしくは押圧開始直後に成形型４を冷却することができる。
【００８０】
［その他の実施の形態］
上記形態では、成形型４の上方に押圧装置７を配置した構造であったが、図６に示すように、成形型支持台５の側に、ロッド７６を備えた押圧装置７Ｂを設ける一方、移動ケース体３の上面部に受け部７７を構成し、押圧装置７Ｂによって成形型支持台５を上方に押し上げることにより、受け部７７と成形型支持台５との間で成形型４を押圧してもよい。
【００８１】
また、実施の形態１、２では、冷却装置８を構成する部材を装置筐体２に搭載した方式を採用し、実施の形態３では、冷却装置８Ａを構成する部材を移動ケース体３に搭載した方式を採用したが、図７(ａ)に示すように、冷却装置８を構成する部材のうち、冷却ガス中継部材８６を装置筐体２に固定しておく一方、移動ケース体３に対して冷却ガス放出管８７を設け、図７(ｂ)に示すように、移動ケース体３の移動に伴って、冷却ガス中継部材８６の配管と、冷却ガス放出管８７とが連通した際、冷却ガス中継部材８６を中継して冷却ガス放出管８７に冷却ガスを供給し、冷却ガス放出管８７から成形型４に冷却ガスを放出するように構成してもよい。
【００８２】
更に、上記実施の形態では、成形型配置領域Ｒ１〜Ｒ８を円周方向に配置した構造であったが、例えば、矩形の循環ルートに沿って成形型配置領域Ｒ１〜Ｒ８を配置し、矩形の循環ルートに沿って、ヒータ６が移動する構成を採用してもよい。
【図面の簡単な説明】
【００８３】
【図１】本発明の実施の形態１に係るモールドプレス成形装置の平面的な構成を示す説明図である。
【図２】(ａ)〜(ｅ)は、図１のＡ−Ａ′断面図、Ｂ−Ｂ′断面図、Ｃ−Ｃ′断面図、Ｄ−Ｄ′断面図およびＥ−Ｅ′断面図である。
【図３】本発明の実施の形態２に係るモールドプレス成形装置を図１のＡ−Ａ′線、Ｂ−Ｂ′線、Ｃ−Ｃ′線、Ｄ−Ｄ′線およびＥ−Ｅ′線に相当する位置で切断したときの断面図である。
【図４】本発明の実施の形態３に係るモールドプレス成形装置の平面的な構成を示す説明図である。
【図５】(ａ)〜(ｄ)は、図４のＦ−Ｆ′断面図、Ｇ−Ｇ′断面図、Ｈ−Ｈ′断面図、およびＩ−Ｉ′断面図である。
【図６】本発明を適用したモールドプレス成形装置に使用可能な別の押圧装置の構成を示す説明図である。
【図７】本発明を適用したモールドプレス成形装置に使用可能な別の冷却装置の構成を示す説明図である。
【図８】従来のモールドプレス成形装置の平面的な構成を示す説明図である。
【符号の説明】
【００８４】
１  モールドプレス成形装置
２  装置筐体
３  移動ケース(回転体)
４  成形型
５  成形型支持台(成形型保持体)
６  ヒータ(加熱部)
７、７Ｂ  押圧装置
９  成形型搬出入装置
８、８Ａ  冷却装置
２５  シャッタ装置
Ｒ１〜Ｒ８  成形型配置領域
Ｔ１〜Ｔ８  ゾーン
【図１】
2007055824.tif 000003
【図２】
2007055824.tif 000004
【図３】
2007055824.tif 000005
【図４】
2007055824.tif 000006
【図５】
2007055824.tif 000007
【図６】
2007055824.tif 000008
【図７】
2007055824.tif 000009
【図８】
2007055824.tif 000010